(57)【特許請求の範囲】
【請求項１】
筐体と、該筐体内に設けられ、消火用ホースが内巻きに収容されるホース収容部とを備えた消火栓装置において、
該ホース収容部を、該筐体内に該筐体の内壁上面から内壁下面に至る如く設けられた２本の棒状体と、該２本の棒状体のそれぞれに、該棒状体から該筐体の内壁背面に至る如く設けられた略Ｌ字状に屈曲した帯板とからなるホースバケットと、該筐体の内壁上面と内壁下面により形成し、該ホースバケットの内面と該筐体の内壁上面と内壁下面と内壁背面によって該消火用ホースを押さえるものとし、該ホースバケットの２本の棒状体の間に中央開口部を設けるとともに、該ホースバケットの略Ｌ字状の帯板と該筐体の内壁上面及び内壁下面との間に隅部開口部を設けたことを特徴とする消火栓装置。
【請求項２】
筐体と、該筐体内に設けられ、消火用ホースが内巻きに収容されるホース収容部とを備えた消火栓装置において、
該ホース収容部を、該筐体内に該筐体の内壁左側面から内壁右側面に至る如く設けられた２本の棒状体と、該２本の棒状体のそれぞれに、該棒状体から該筐体の内壁背面に至る如く設けられた略Ｌ字状に屈曲した帯板とからなるホースバケットと、該筐体の内壁左側面と内壁右側面により形成し、該ホースバケットの内面と該筐体の内壁左側面と内壁右側面と内壁背面によって該消火用ホースを押さえるものとし、該ホースバケットの２本の棒状体の間に中央開口部を設けるとともに、該ホースバケットの略Ｌ字状の帯板と該筐体の内壁左側面及び内壁右側面との間に隅部開口部を設けたことを特徴とする消火栓装置。
【発明の詳細な説明】
【０００１】
【発明の属する技術分野】
この発明は、例えばトンネル等に設備される、内巻き式に消火用ホースを収納した消火栓装置に関するものであり、さらに述べれば、その消火用ホースを収納するホース収納部に関する。
【０００２】
【従来の技術】
例えばトンネル等に設備される消火栓装置は、一般に基端部が消火剤供給源に連結され、先端部にノズルを有する消火用ホースを備えており、この消火用ホースを介してノズルより放出される消火剤により発生した火災を消火する如く用いられるものである。この様な消火用ホースを備えた消火栓装置において、消火用ホースは、常時においては消火栓装置の筐体内に巻き付けられて収容されており、火災発生時においては筐体内より引き出されて用いられる。
【０００３】
上記のような消火栓装置においてその消火用ホースを筐体内に内巻き式に巻き付けて収容しておく所謂内巻き式のものがある。この内巻き式の消火栓装置は、筐体内に消火用ホースを収容するためのホース収容部を備え、そのホース収容部内にその外側から中心に向けて順次消火用ホースを巻き付けて収容するものである。このような内巻き式の消火栓装置において、そのホース収容部はボックス形状のものやシャフトを組み合わせたものがあるが、それらはいずれも消火用ホースをホース収容部から引き出すための、又は消火用ホースをホース収容部に収容するための開口部をホース収容部の前面側に備えている。
【０００４】
【発明が解決しようとする課題】
しかしながら、ボックス形状やシャフトを組み合わせてなるホース収容部には、それぞれ次の如き欠点がある。ボックス形状のものは、消火用ホースをその開口部から収容するときに、ボックス内で消火用ホースがどのような状態で巻き付けられているかを目視により確認することができないので、消火用ホースを整然に巻き付けながらホース収容部内に収容するのが困難である（消火用ホースの巻き付けが整然でないとホース収容部内に消火用ホースが入りきらない場合がある。）シャフトを組み合わせたものは、消火用ホースがどのように巻き付けられているかを目視により確認することができるので、上記ボックス形状のものにおける如き欠点はないが、何本ものシャフトを組み合わせてホース収容部を形成しているので、その構造が複雑なものとなってしまうとともに、消火用ホースとほぼ点接触なので、安定感がなく、巻き付けにくい。
【０００５】
この発明は、上記事情に鑑み、消火用ホースをホース収容部内に整然に巻き付けながら収容するのを容易に行うことができ、また、構造が簡単なホース収容部を備えた内巻き式の消火栓装置を得ることを目的とする。
【０００６】
【課題を解決するための手段】
上記目的を達成するこの発明について述べれば、それは、筐体と、該筐体内に設けられ、消火用ホースが内巻きに収容されるホース収容部とを備えた消火栓装置において、該ホース収容部を、該筐体内に該筐体の内壁上面から内壁下面に至る如く設けられた２本の棒状体と、該２本の棒状体のそれぞれに、該棒状体から該筐体の内壁背面に至る如く設けられた略Ｌ字状に屈曲した帯板とからなるホースバケットと、該筐体の内壁上面と内壁下面により形成し、該ホースバケットの内面と該筐体の内壁上面と内壁下面と内壁背面によって該消火用ホースを押さえるものとし、該ホースバケットの２本の棒状体の間に中央開口部を設けるとともに、該ホースバケットの略Ｌ字状の帯板と該筐体の内壁上面及び内壁下面との間に隅部開口部を設けた消火栓装置である。これによれば、ホース収容部を形成するホースバケットの中央開口部より消火用ホースを収容するときに、隅部開口部から消火用ホースがホース収容部内にどのように巻き付けられているかを目視により確認することができ、また、その隅部開口部から手を入れて押し込んだり形を整えたりすることができる。したがって、ホース収容部内に消火用ホースを整然と巻き付けて収容するのを容易に行うことができる。また、ホース収容部を２本の棒状体と略Ｌ字状の帯板とからなるホースバケットにより形成したので、その構造を簡単なものとすることができる。さらに、ホース収容部は筐体の内壁上面、内壁下面及び内壁背面を利用することとなるので、消火栓装置の小型化が可能となる。
【０００７】
また、筐体と、該筐体内に設けられ、消火用ホースが内巻きに収容されるホース収容部とを備えた消火栓装置において、該ホース収容部を、該筐体内に該筐体の内壁左側面から内壁右側面に至る如く設けられた２本の棒状体と、該２本の棒状体のそれぞれに、該棒状体から該筐体の内壁背面に至る如く設けられた略Ｌ字状に屈曲した帯板とからなるホースバケットと、該筐体の内壁左側面と内壁右側面により形成し、該ホースバケットの内面と該筐体の内壁左側面と内壁右側面と内壁背面によって該消火用ホースを押さえるものとし、該ホースバケットの２本の棒状体の間に中央開口部を設けるとともに、該ホースバケットの略Ｌ字状の帯板と該筐体の内壁左側面及び内壁右側面との間に隅部開口部を設けた消火栓装置である。これによっても、ホース収容部を形成するホースバケットの中央開口部より消火用ホースを収容するときに、隅部開口部から消火用ホースがホース収容部内にどのように巻き付けられているかを目視により確認することができ、また、その隅部開口部から手を入れて押し込んだり形を整えたりすることができる。したがって、ホース収容部内に消火用ホースを整然と巻き付けて収容するのを容易に行うことができる。また、ホース収容部を２本の棒状体と略Ｌ字状の帯板とからなるホースバケットにより形成したので、その構造を簡単なものとすることができる。さらに、ホース収容部は筐体の内壁左側面、内壁右側面及び内壁背面を利用することとなるので、消火栓装置の小型化が可能となる。
【０００８】
【発明の実施の形態】
この発明の実施の形態を図１及び図２に基づき説明する。図１において、消火栓装置１は、例えばトンネル等に設置される、消火用ホースを内巻きに収容してなる所謂内巻き式の消火栓装置である。この消火栓装置１は、その筐体３０内に、先端にノズルを有する消火用ホース５、消火用ホース５を内巻きに収容するホース収容部１１を形成するホースバケット１２を備えている。なお、図１は消火栓装置１の前面開口部３０ａを開閉自在にする前面扉を開けた状態を示す正面図であるが、この図１は略図であり、筐体３０内に収容される消火栓弁等の要素の図示を省略してある。
【０００９】
ホースバケット１２は、図１及び図２によって明らかなように、筐体３０の内壁上面３０ｂから内壁下面３０ｃに至る２本の棒状体１５，１５とその棒状体１５，１５から筐体３０の内壁背面３０ｄに至る略Ｌ字状に屈曲した２枚の帯板１６，１６とからなるものであり、２本の棒状体１５，１５の間には中央開口部１２ａが、２枚の帯板１６，１６と筐体３０の内壁上面３０ｂ及び内壁下面３０ｃとの間には４つの隅部開口部１２ｂ，１２ｂ，１２ｂ，１２ｂが設けられている。
【００１０】
ホースバケット１２を上記の如く構成することにより、ホースバケット１２の内面と、筐体３０の内壁上面３０ｂと、筐体３０の内壁下面３０ｃと、筐体３０の内壁背面３０ｄによって消火用ホース５を押さえるホース収容部１１が形成されることとなる。
【００１１】
また、ホースバケット１２の棒状体１５，１５は、断面が円形で、且つ消火用ホース５の直径に応じて適当な直径を有する棒状体からなるものであり、その表面は消火用ホース５との摩擦抵抗を少なくすることができるように表面処理が施されている。
【００１２】
さらに、ホースバケット１２の中央開口部１２ａは、消火用ホース５を引き出したり或いは収容したりするときの、引き出し口或いは収容口となるものであり、消火用ホース５の引き出し或いは収容が容易に行えるように最適な開口面積を有している。
【００１３】
上記の如きホースバケット１２によりホース収容部１１を形成したので、ホースバケット１２の中央開口部１２ａから消火用ホース５をホースバケット１２内即ちホース収容部１１内に収容するときに、４つの隅部開口部１２ｂ，１２ｂ，１２ｂ，１２ｂから消火用ホース５がホース収容部１１内にどのように巻き付けられているかを目視により確認することができ、また、その隅部開口部１２ｂ，１２ｂ，１２ｂ，１２ｂからホース収容部１１内に手を入れて消火用ホース５を押し込んだり整えたりすることができる。したがって、ホース収容部１１内に消火用ホース５を整然と巻き付けて収容するのを容易に行うことができる。
【００１４】
なお、図示は省略するが、ホースバケット１２の筐体３０内の配置を上記に代えて、その棒状体１５，１５の長さ方向を９０度変位させて設けるようにしてもよい。即ち、ホースバケット１２を、その棒状体１５，１５が筐体３０の内壁左側面から内壁右側面に至る如く設け、４つの隅部開口部１２ｂ，１２ｂ，１２ｂ，１２ｂを略Ｌ字状の帯板１６，１６と筐体３０の内壁左側面と右側面との間に設ける如く配置して設けてもよい。
【００１５】
【実施例】
上記の如き消火栓装置１をさらに具体化した消火栓装置１００についてそれを図３に基づいて説明する。なお、消火栓装置１と同一図面符号を付したものはその名称も機能も同一である。
【００１６】
図３において、消火栓装置１００は、例えばトンネル等に設置される、消火用ホース５を内巻きに収容してなる所謂内巻き式の消火栓装置である。この消火栓装置１００は、筐体１０内に、消火用ホース５を内巻きに収容するホース収容部１１を形成するホースバケット１２、三方切替弁４、圧力調整弁２、消火栓弁３等を備えている。
【００１７】
ホースバケット１２は、筐体１０の内壁上面から内壁下面に至る２本の棒状体１５，１５とその棒状体１５，１５から筐体１０の内壁背面に至る略Ｌ字状に屈曲した２枚の帯板１６，１６とからなり、２本の棒状体１５の間に形成される中央開口部１２ａから消火用ホース５を引き出したり収容したりする。またこのホースバケット１２の帯板１６，１６と筐体１０の内壁上面と内壁下面との間には隅部開口部が設けられている。これにより、ホースバケット１２の中央開口部１２ａから消火用ホース５をホースバケット１２内即ちホース収容部１１内に収容するときに、隅部開口部から消火用ホース５がホース収容部１１内にどのように巻き付けられているかを目視により確認することができ、また、その隅部開口部からホース収容部１１内に手を入れて消火用ホース５を押し込んだり整えたりすることができる。したがって、ホース収容部１１内に消火用ホース５を整然と巻き付けて収容するのを容易に行うことができる。
【００１８】
筐体１０は、その前面に前面開口部１０ａを有し、その前面開口部１０ａを開閉自在にする、開口部１０ａの上縁と下縁にそれぞれヒンジを介して設けられた上側扉１３と下側扉としての前傾扉１４とを備えている。即ち筐体１０は上側扉１３と下側扉としての前傾扉１４とに分割された扉をその前面に備えている。これにより筐体の前面の扉が一枚扉からなる消火栓装置に比して扉を開けるときに外方に突出する寸法を短くすることができる。
【００１９】
前傾扉１４は、その扉を開けると、ホース収容部１１の中央開口部１２ａが該開口部１２ａより消火用ホース５を引き出すことができる程度に外部に露出する如く設けられている。これにより消火用ホース５をホース収容部１１から引き出すには前傾扉１４だけを開ければよいこととなる。
【００２０】
上側扉１３は、その扉を閉めると、前記筐体１０内に収容された三方切替弁４の開閉操作部を覆う如く設けられている。これにより、火災発生時に上側扉１３を閉めておくことで、操作者が誤って三方切替弁４の開閉操作部を操作してしまうことを防ぐことができる。
【００２１】
前傾扉１４の内面側には、消火用ホース５が挿通されるホースガイド１７、消火栓弁３の開閉レバー１９、自在アングルノズル６０のノズルホルダ６０ｈ等が設けられている。この前傾扉１４内部には例えば前記開閉レバー１９の機構部等が内蔵されており、それらを覆う裏板１４ａが前傾扉１４の内面側には設けられており、前記ホースガイド１７及び開閉レバー１９はこの裏板１４ａ上に設けられている。さらに前傾扉１４には前記ホース収容部１１の位置に対応した位置に凹部１４ｂを有している。
【００２２】
ホースガイド１７は、前傾扉１４の内面に垂直方向に立設された二本の縦方向棒状体と、該２本の棒状体のそれぞれの上端を架け渡す如く、且つ前傾扉に対して水平方向に向かう如く設けられた横方向棒状体とからなる。即ちホースガイド１７は、その全体としては略Ｕ字状を形成している。このホースガイド１７の内部には消火用ホース５が挿通される挿通部が形成され、ホースガイド１７の内面に消火用ホース５が引き出されるときに消火用ホース５に接触するガイド面が形成されている。これにより消火用ホース５を操作者が引き出すときに、消火用ホース５はホースガイド１７のガイド面に接触しながら引き出されることとなる。このため、消火用ホース５は、ガイド面との摩擦抵抗によりその移動が適度に制限されることとなる。したがって、操作者が意図しない程度まで消火用ホース５が出てくるのをこのホースガイド１７によって防ぐことができる。
【００２３】
自在アングルノズル６０は、放出口部６０ａとく字状の接続部６０ｂとからなり、放出口部６０ａと消火用ホース５との接続をく字状の接続部６０ｂを介して接続し、放出口部６０ａとく字状の接続部６０ｂとの接続部分を回転自在としたものである。これにより、自在アングルノズル６０をノズルホルダ６０ｈに前傾扉１４の上辺と平行な方向に向けて収容するときにく字状の接続部６０ｂの消火用ホース５との接続側をホース収容部１１の中央開口部１２ａ側に向けることにより、消火用ホース５もホース収容部１１の中央開口部１２ａ側に向かうこととなる。このためホース収容部１１とノズルホルダ６０ｈとの間の消火用ホース５のたるみを少なくすることができるとともに、たるみがあったとしてもそのたるんだ部分を中央開口部１２ａからホース収容部１１内の余裕空間に収容することができる。したがって、ホース収容部１１とノズルホルダ６０ｈとの間に消火用ホース５のたるみがあることにより生じる不具合（例えば消火用ホース５がホース収容部１１と前傾扉１４との間に挟まれて前傾扉１４を閉めることができないことや、それを防ぐ目的でホース収容部１１と前傾扉１４との間に隙間を設けることによって装置が大型化してしまうこと等）を解消することができる。
【００２４】
本実施例では、ホース収容部１１とノズルホルダ６０ｈとの間の消火用ホース５のたるみがあることにより生じる不具合を、凹部１４ｂがあることによりさらに解消することができる。即ち、凹部１４ｂにホース収容部１１とノズルホルダ６０ｈとの間に消火用ホース５のたるみ部分を収容することで前記不具合をさらに解消することができる。
【００２５】
１８は消火栓装置の操作上の注意事項等を表示する操作銘板であり、図示しない起伏手段により前傾扉１４の開閉に連動して起伏する如く設けられている。即ち、操作銘板１８は前傾扉１４を開けたときに前傾扉１４の内面側より起立し、前傾扉１４を閉めたときに前傾扉１４の内面側に伏す如く設けられている。これにより前傾扉１４を開けたときには操作銘板１８は前傾扉１４の内面から起立して操作者がそれを確認し易い状態にすることができ、前傾扉１４を閉じたときには操作銘板１８は前傾扉１４の内面に対し伏した状態となり筐体１０内に操作銘板１８が起立するスペースを確保する必要をなくすることができる。
【００２６】
【発明の効果】
この発明は上記の如く構成したので、ホース収容部を形成するホースバケットの中央開口部より消火用ホースを収容するときに、隅部開口部から消火用ホースがホース収容部内にどのように巻き付けられているかを目視により確認することができ、また、その隅部開口部から手を入れて押し込んだり形を整えたりすることができる。したがって、ホース収容部内に消火用ホースを整然と巻き付けて収容するのを容易に行うことができる。また、ホース収容部を２本の棒状体と略Ｌ字状の帯板とからなるホースバケットにより形成したので、その構造を簡単なものとすることができる。さらに、ホース収容部は筐体の内壁上面、内壁下面または内壁左側面、内壁右側面並びに内壁背面を利用することとなるので、消火栓装置の小型化が可能となる。
【図面の簡単な説明】
【図１】この発明の消火栓装置の実施の形態を示す図で、消火栓装置の前面扉を開けた状態における正面図である。
【図２】この発明の消火栓装置のホースバケットを示す斜視図である。
【図３】この発明の消火栓装置の実施例を示す図で、前傾扉（下側扉）を開けた状態における斜視図である。
【符号の説明】
１      消火栓装置
５      消火用ホース
１１    ホース収容部
１２    ホースバケット
１２ａ  中央開口部
１２ｂ  隅部開口部
１５    棒状体
１６    帯板
３０    筐体
３０ｂ  内壁上面
３０ｃ  内壁下面
３０ｄ  内壁背面
【図１】
0003637559.tif 000002
【図２】
0003637559.tif 000003
【図３】
0003637559.tif 000004